【事件の表示】
　特願２００４−５１９１１０「光源の位置に基づいた情報取出しシステム」拒絶査定不服審判事件〔平成１６年　１月１５日国際公開、ＷＯ２００４／００６４５３、平成１７年１０月２７日国内公表、特表２００５−５３２７２６〕について、次のとおり審決する。
【結　論】
　本件審判の請求は、成り立たない。
【理　由】
Ｉ．手続の経緯
　本願は、平成１５年６月３０日（パリ条約による優先権主張２００２年７月１０日、米国）を国際出願日とする出願であって、平成１９年１２月５日付けの拒絶の理由の通知に対して、平成２０年３月５日付けで意見書が提出されるとともに、同日付けで手続補正がなされたが、同年１１月１９日付けで拒絶査定がなされ、これに対し、平成２１年２月１０日に拒絶査定に対する審判請求がなされるとともに、同日付けで手続補正がなされたものである。
　
ＩＩ．平成２１年２月１０日付けの手続補正についての補正却下の決定
［補正却下の決定の結論］
　平成２１年２月１０日付けの手続補正を却下する。
　
［理由］
１．補正前・補正後の本願発明
　本件補正により、少なくとも特許請求の範囲の請求項１２（補正前の請求項１６）は、次のように補正された。なお、下線部は補正された箇所を示す。
　
〈補正前〉（特許請求の範囲の請求項１６）
「夫々異なる場所で複数の光信号を生成する手段であって、該複数の光信号の夫々は一意のサインを有する手段と、
　前記複数の光信号のうちの少なくとも１つを受信する手段と、
　前記受信された光信号から前記一意のサインを復号化する手段と、
　前記復号化された一意のサインと、複数のローカルなメッセージのうちの少なくとも１つに前記一意のサインを関連付ける関連性の表とに従ってローカルなメッセージを与える手段とを有し、
　前記複数の光信号に対する前記受信する手段の位置は、前記光信号のうちのどれが受信されて、どの一意のサインが復号化され、次いで、前記ローカルなメッセージのうちのどれが与えられるかを決定する、位置依存型情報取出しシステム。」
　
〈補正後〉（特許請求の範囲の請求項１２）
「夫々異なる場所で複数の光信号を生成する手段であって、該複数の光信号の夫々は一意のサインを有する手段と、
　前記複数の光信号のうちの少なくとも１つを受信する手段と、
　前記受信された光信号から前記一意のサインを復号化する手段と、
　前記復号化された一意のサインと、複数のローカルなメッセージのうちの少なくとも１つに前記一意のサインを関連付ける関連性の表とに従ってローカルなメッセージを与える手段と
、
　
入力手段と
　前記複数の光信号に対する前記受信する手段の位置は、前記光信号のうちのどれが受信されて、どの一意のサインが復号化され、次いで、前記ローカルなメッセージのうちのどれが与えられるかを決定
し、
　
前記ローカルなメッセージは、前記入力手段を介して入力されるユーザの様々な好みに関連付けられたデータに基づいて変更される
　
　本件補正は、
　
　補正前の請求項１６に記載した発明を特定するために必要な事項である「位置依存型情報取出しシステム」について、「入力手段とを有し」と限定するものであり、また、補正前の請求項１６に記載した発明を特定するために必要な事項である「ローカルなメッセージ」について、「前記入力手段を介して入力されるユーザの様々な好みに関連付けられたデータに基づいて変更される」と限定するものであるから、本件補正は特許法第１７条の２第４項第２号の特許請求の範囲の減縮を目的とするものに該当する。
　
　そこで、本願の補正後の請求項１２に係る発明（以下、「本願補正発明」という。）が特許出願の際独立して特許を受けることができるものであるか（特許法第１７条の２第５項において準用する同法第１２６条第５項の規定に適合するか）について以下に検討する。
　
２．引用例
　原査定の拒絶の理由に引用された特開２０００−９４８７号公報（以下、「引用例」という。）には、図面とともに、以下の事項が記載されている。
　
Ａ．「【０００１】
【発明の属する技術分野】本発明は、情報提供システムに関し、特に、電力消費が少なく、ユーザの所在位置に応じた最新の情報を得ることができる情報提供システムに関する。」
　
Ｂ．「【００２４】図１を参照して、パーソナルナビゲータ１２は、ビルの入り口の天井２０に設置されたダウンロード送信機１４と、通路２８の曲がり角および部屋の入り口付近などの天井２０に設置された複数の光ビーコン送信機１６と、ユーザ２６が携帯する携帯受信器１８とを含む。
【００２５】ダウンロード送信機１４は、複数のメッセージ情報を、携帯受信器１８に対して送信（ダウンロード）する。複数のメッセージ情報には、複数の光ビーコン送信機１６のそれぞれの設置位置に対応したコース案内や危険指示などの音声情報が含まれる。
【００２６】携帯受信器１８は、ダウンロード送信機１４より送信されるメッセージ情報を受け、自身に記憶する。また、光ビーコン送信機１６より送信されるメッセージコード２４を受け、メッセージコード２４がどの光ビーコン送信機１６より送信されたものかを判断し、メッセージコード２４を送信した光ビーコン送信機１６に対応するメッセージ情報を再生する。
【００２７】光ビーコン送信機１６は、自身を特定するためのメッセージコード２４を携帯受信器１８に対して送信する。
【００２８】本実施の形態では、光ビーコン送信機１６、ダウンロード送信機１４および携帯受信器１８よりそれぞれ送信される信号は、すべて光信号であるものとし説明するが、これに限定されるものではなく、電波信号のようなものであっても良い。」
　
Ｃ．「【００３１】図３を参照して、携帯受信器１８は、光信号を受信し、デジタル信号に変換した後出力し、かつ光信号である光ビーコン起動信号を一定の間隔で常時送信するための赤外線リモコン送受信モジュール５８と、後述のＩｒＤＡ（Infrared Data Association ）送受信モジュール６４および赤外線通信コントローラ６６などの動作を節電モードに移行させるための節電制御回路６０と、赤外線リモコン送受信モジュール５８より出力されるデジタル信号を送受信インタフェース５２を介して受け、デジタル信号を後述のＣＰＵ５６に送信し、デジタル信号を解読し、赤外線リモコン送受信モジュール５８に対して、光ビーコン起動信号２２およびダウンロード要求信号の送信を指示し、ダウンロードをしていない場合に、節電制御回路６０に節電の指示を送信するためのＣＰＵ５４とを含む。
【００３２】携帯受信器１８は、ＣＰＵ５４を介して受信したデジタル信号を解読し、そのデジタル信号が光ビーコン送信機１６より送信されたメッセージコード２４であれば、後述のＡＤＰＣＭ（Adaptive Differential Pulse Code Modulation ）再生回路７０にメッセージコード２４を送信し、赤外線通信コントローラ６６を制御し、ダウンロード処理を行なうためのＣＰＵ５６と、ＣＰＵ５６で実行されるプログラムや各種データを記憶するためのＲＯＭ（Read Only Memory）６２と、ＣＰＵ５６で実行される処理の中間結果等を記憶するためのＲＡＭ（Random Access Memory）６８とをさらに含む。
【００３３】携帯受信器１８は、ダウンロード送信機１４に対して１ブロック分のデータの送信および再送をそれぞれ要求するダウンロード送信要求信号およびダウンロード再送要求信号を送信し、かつ受信した光信号をデジタル信号に変換し、出力するためのＩｒＤＡ送受信モジュール６４と、ＩｒＤＡ送受信モジュール６４に接続され、ＩｒＤＡ送受信モジュール６４にデータ送信要求信号およびデータ再送要求信号を送信させ、ＩｒＤＡ送受信モジュール６４より出力されたデジタル信号をＲＡＭ６８に書き込むための赤外線通信コントローラ６６とをさらに含む。
【００３４】携帯受信器１８は、ダウンロード送信機１４より送信されたメッセージ情報を記憶するためのフラッシュＲＯＭ８０と、ＣＰＵ５６より送信されたメッセージコード２４を受け、メッセージコード２４に応じた内容のメッセージ情報をフラッシュＲＯＭ８０より読み出し、音声増幅器７２および圧電スピーカ７４を介して音声再生するためのＡＤＰＣＭ再生回路７０と、操作スイッチ７６を介してユーザ２６からの指示を受け、指示を解読し、指示の内容や、フラッシュＲＯＭ８０に記憶されているメッセージ情報などを表示ＬＥＤ８２上に表示させるためのＰＩＯ（パラレル入出力装置）７８と、アルカリ電池４２または外部ＤＣ電源より供給される直流を所要電源電圧に変換し、フラッシュＲＯＭ８０に書き込み電源を供給し、携帯受信器１８を構成する各部に回路電源を供給するためのＤＣ／ＤＣコンバータ８４と、ＣＰＵ５４、ＣＰＵ５６、ＲＯＭ６２、赤外線通信コントローラ６６、ＲＡＭ６８、ＡＤＰＣＭ再生回路７０、ＰＩＯ７８およびフラッシュＲＯＭ８０を相互に接続するためのバス５１とをさらに含む。」
　
Ｄ．「【００６７】次に、ユーザ２６が実際にパーソナルナビゲータ１２を用いて音声情報を得るために行う処理およびその際のパーソナルナビゲータ１２の各部の動作について説明する。なお、携帯受信器１８の赤外線リモコン送受信モジュール５８からは常時一定の間隔で光ビーコン起動信号２２が送信されている。
【００６８】携帯受信器１８を携帯したユーザ２６が、ビルなどの施設の入り口に設置されたダウンロード送信機１４の真下に移動した場合には、ダウンロード送信機１４が光ビーコン起動信号２２を受信する（図１０のＳ９８でＹＥＳ）。光ビーコン起動信号２２を受信したダウンロード送信機１４は、光ビーコン起動信号２２を受信したことを示す認識信号を赤外線リモコン送受信モジュール９６から送信する（図１０のＳ１００）。
【００６９】認識信号を受信した携帯受信器１８は、ダウンロード要求信号を送信し、各部の起動を行ない、ダウンロード開始メッセージを再生する（図７のＳ３８でＹＥＳ、図９のＳ６２〜Ｓ７２）。このメッセージを聞いたユーザ２６は、ダウンロード終了メッセージが再生されるまで同一場所で待機する。
【００７０】携帯受信器１８からは、さらにデータ送信要求信号が順次送信される（図９のＳ７４）。ダウンロード要求信号およびデータ送信要求信号を受信したダウンロード送信機１４は、１ブロックずつデータを送信する（図１０のＳ１０２でＹＥＳ、図１１のＳ１１８）。このデータには、ユーザ２６の経路案内に必要な音声情報を符号化したメッセージコードが含まれている。
【００７１】すべてのデータのダウンロード処理が終了した時点で、携帯受信器１８はダウンロード終了メッセージを再生する（図９のＳ８２でＹＥＳ、Ｓ８４）。このメッセージを聞いたユーザ２６は、施設内の移動を開始する。
【００７２】光ビーコン送信機１６が光ビーコン起動信号２２を受信すると（図５のＳ８でＹＥＳ）、光ビーコン送信機１６よりメッセージコード２４が送信される（図５のＳ１０）。新たなメッセージコード２４を受信した携帯受信器１８は、メッセージコード２４に対応したメッセージ情報を音声再生する（図７のＳ３２でＹＥＳ、Ｓ３４でＮＯ、Ｓ３６でＹＥＳ、図８のＳ５６）。
【００７３】上述のようにユーザ２６は、音声再生されたメッセージ情報を聞くことにより、現在位置を容易に把握することができ、正確な移動を行うことができる。」
　
　以上のことから、引用例には、次の発明（以下、「引用発明」という。）が記載されている。
　
「ユーザの所在位置に応じた最新の情報を得ることができる情報提供システムにおいて、
　パーソナルナビゲータ１２は、ビルの入り口の天井２０に設置されたダウンロード送信機１４と、通路２８の曲がり角および部屋の入り口付近などの天井２０に設置された複数の光ビーコン送信機１６と、ユーザ２６が携帯する携帯受信器１８とを含み、
　ダウンロード送信機１４は、複数のメッセージ情報を、携帯受信器１８に対して送信（ダウンロード）し、複数のメッセージ情報には、複数の光ビーコン送信機１６のそれぞれの設置位置に対応したコース案内や危険指示などの音声情報が含まれ、
　携帯受信器１８は、ダウンロード送信機１４より送信されるメッセージ情報を受け、自身に記憶し、光ビーコン送信機１６より送信されるメッセージコード２４を受け、メッセージコード２４がどの光ビーコン送信機１６より送信されたものかを判断し、メッセージコード２４を送信した光ビーコン送信機１６に対応するメッセージ情報を再生し、
　光ビーコン送信機１６は、自身を特定するためのメッセージコード２４を携帯受信器１８に対して送信し、
　光ビーコン送信機１６、ダウンロード送信機１４および携帯受信器１８よりそれぞれ送信される信号は、すべて光信号であり、
　携帯受信器１８は、光信号を受信し、デジタル信号に変換した後出力し、かつ光信号である光ビーコン起動信号を一定の間隔で常時送信するための赤外線リモコン送受信モジュール５８と、赤外線リモコン送受信モジュール５８より出力されるデジタル信号を送受信インタフェース５２を介して受け、デジタル信号を後述のＣＰＵ５６に送信し、デジタル信号を解読するためのＣＰＵ５４とを含み、
　携帯受信器１８は、ＣＰＵ５４を介して受信したデジタル信号を解読し、そのデジタル信号が光ビーコン送信機１６より送信されたメッセージコード２４であれば、後述のＡＤＰＣＭ（Adaptive Differential Pulse Code Modulation ）再生回路７０にメッセージコード２４を送信し、
　携帯受信器１８は、ダウンロード送信機１４より送信されたメッセージ情報を記憶するためのフラッシュＲＯＭ８０と、ＣＰＵ５６より送信されたメッセージコード２４を受け、メッセージコード２４に応じた内容のメッセージ情報をフラッシュＲＯＭ８０より読み出し、音声増幅器７２および圧電スピーカ７４を介して音声再生するためのＡＤＰＣＭ再生回路７０と、操作スイッチ７６を介してユーザ２６からの指示を受け、指示を解読し、指示の内容や、フラッシュＲＯＭ８０に記憶されているメッセージ情報などを表示ＬＥＤ８２上に表示させるためのＰＩＯ（パラレル入出力装置）７８とをさらに含む、
　情報提供システム。」
　
３．対比
　本願補正発明と引用発明とを対比する。
　
　引用発明の「光ビーコン送信機１６」は、「通路２８の曲がり角および部屋の入り口付近などの天井２０に」複数設置され、「自身を特定するためのメッセージコード２４を携帯受信器１８に対して送信」するものであり、「光ビーコン送信機１６」から送信される信号は、光信号であり、携帯受信器１８は、「光ビーコン送信機１６より送信されるメッセージコード２４を受け、メッセージコード２４がどの光ビーコン送信機１６より送信されたものかを判断し、メッセージコード２４を送信した光ビーコン送信機１６に対応するメッセージ情報を再生」するので、それぞれの「光ビーコン送信機１６」は異なった「メッセージコード２４」を送信することは明らかであり、引用発明の「メッセージコード２４」は、本願補正発明の「一意のサイン」に相当し、引用発明の「光ビーコン送信機１６」は、本願補正発明の「夫々異なる場所で複数の光信号を生成する手段であって、該複数の光信号の夫々は一意のサインを有する手段」に相当する。
　
　引用発明の「携帯受信器１８」は、「光ビーコン送信機１６より送信されるメッセージコード２４を受け」るので、本願補正発明の「前記複数の光信号のうちの少なくとも１つを受信する手段」に相当する。
　
　引用発明の携帯受信器１８は、「赤外線リモコン送受信モジュール５８より出力されるデジタル信号を送受信インタフェース５２を介して受け、デジタル信号を後述のＣＰＵ５６に送信し、デジタル信号を解読するためのＣＰＵ５４とを含」み、「ＣＰＵ５４を介して受信したデジタル信号を解読し、そのデジタル信号が光ビーコン送信機１６より送信されたメッセージコード２４であれば、後述のＡＤＰＣＭ（Adaptive Differential Pulse Code Modulation ）再生回路７０にメッセージコード２４を送信」するので、引用発明の携帯受信器１８の「デジタル信号を解読するためのＣＰＵ５４」は、本願補正発明の「受信された光信号から前記一意のサインを復号化する手段」に相当する。
　
　引用発明の「複数のメッセージ情報」は、「複数の光ビーコン送信機１６のそれぞれの設置位置に対応したコース案内や危険指示などの音声情報が含まれ」るので、本願補正発明の「複数のローカルなメッセージ」に相当する。そして、引用発明の携帯受信器１８は、「光ビーコン送信機１６より送信されるメッセージコード２４を受け、メッセージコード２４がどの光ビーコン送信機１６より送信されたものかを判断し、メッセージコード２４を送信した光ビーコン送信機１６に対応するメッセージ情報を再生」すること、及び「ＣＰＵ５６より送信されたメッセージコード２４を受け、メッセージコード２４に応じた内容のメッセージ情報をフラッシュＲＯＭ８０より読み出」すことから、引用発明において、複数の「メッセージコード２４」と複数の「メッセージ情報」とがそれぞれ関連付けられており、その関連性に従って、受信したメッセージコード２４に対応するメッセージ情報が読み出されることは明らかであり、引用発明の前記「光ビーコン送信機１６より送信されるメッセージコード２４を受け、メッセージコード２４がどの光ビーコン送信機１６より送信されたものかを判断し、メッセージコード２４を送信した光ビーコン送信機１６に対応するメッセージ情報を再生」すること、及び「ＣＰＵ５６より送信されたメッセージコード２４を受け、メッセージコード２４に応じた内容のメッセージ情報をフラッシュＲＯＭ８０より読み出」すことと、本願補正発明の「復号化された一意のサインと、複数のローカルなメッセージのうちの少なくとも１つに前記一意のサインを関連付ける関連性の表とに従ってローカルなメッセージを与える」こととは、復号化された一意のサインと、複数のローカルなメッセージのうちの少なくとも１つに前記一意のサインを関連付ける関連性とに従ってローカルなメッセージを与える点で共通する。また、引用発明の携帯受信器１８は、そのような手段を有していることは明らかである。
　
　引用発明の携帯受信器１８の「操作スイッチ７６」は、本願補正発明の「入力手段」に相当する。
　
　引用発明において、携帯受信器１８は、「光ビーコン送信機１６より送信されるメッセージコード２４を受け、メッセージコード２４がどの光ビーコン送信機１６より送信されたものかを判断し、メッセージコード２４を送信した光ビーコン送信機１６に対応するメッセージ情報を再生」すること、及び「ＣＰＵ５６より送信されたメッセージコード２４を受け、メッセージコード２４に応じた内容のメッセージ情報をフラッシュＲＯＭ８０より読み出」すことから、引用発明の「携帯受信器１８」は、その位置に依存したメッセージコード２４を受信して、そのメッセージコード２４に対応するメッセージ情報を再生する、すなわち、複数の光信号に対する携帯受信器１８（本願補正発明の「受信する手段」に相当する。）の位置は、前記光信号のうちのどれが受信されて、どのメッセージコード２４（「一意のサイン」）が復号化され、次いで、メッセージ情報（「ローカルなメッセージ」）のうちのどれが与えられるかを決定していると言える。そして、引用発明の「情報提供システム」は、本願補正発明の「位置依存型情報取出しシステム」に相当する。
　
　したがって、両者は、
「夫々異なる場所で複数の光信号を生成する手段であって、該複数の光信号の夫々は一意のサインを有する手段と、
　前記複数の光信号のうちの少なくとも１つを受信する手段と、
　前記受信された光信号から前記一意のサインを復号化する手段と、
　前記復号化された一意のサインと、複数のローカルなメッセージのうちの少なくとも１つに前記一意のサインを関連付ける関連性とに従ってローカルなメッセージを与える手段と、
　入力手段とを有し、
　前記複数の光信号に対する前記受信する手段の位置は、前記光信号のうちのどれが受信されて、どの一意のサインが復号化され、次いで、前記ローカルなメッセージのうちのどれが与えられるかを決定する、位置依存型情報取出しシステム。」
で、一致するものであり、次の点で相違している。　
　
［相違点１]
　本願補正発明では、復号化された一意のサインと、複数のローカルなメッセージのうちの少なくとも１つに前記一意のサインを関連付ける関連性の表とに従ってローカルなメッセージを与える手段を有するのに対し、引用発明では、複数のメッセージコード２４（本願補正発明の「一意のサイン」に相当する。）と複数のメッセージ情報（「ローカルなメッセージ」）とがそれぞれ関連付けられており、その関連性に従って、メッセージ情報（「ローカルなメッセージ」）が読み出される（「与える」）ものの、関連性の表に従うものではない点。
　
［相違点２］
　本願補正発明では、ローカルなメッセージは、入力手段を介して入力されるユーザの様々な好みに関連付けられたデータに基づいて変更されるのに対し、引用発明では、情報メッセージ（本願補正発明の「ローカルなメッセージ」に相当する。）はそのように変更されない点。
　
４．判断
　上記相違点について検討する。
　
［相違点１］
　関連する２種類の情報を表の形式で記憶することは、一般に行われていることであり、引用発明において、複数のメッセージコード２４（本願補正発明の「一意のサイン」に相当する。）と複数のメッセージ情報（「ローカルなメッセージ」）との関連性を表の形式で記憶して、復号化されたメッセージコード２４（「一意のサイン」）と、複数のメッセージ情報（「ローカルなメッセージ」）のうちの少なくとも１つにメッセージコード２４（「一意のサイン」）を関連付ける関連性の表とに従ってメッセージ情報（「ローカルなメッセージ」）を与える手段を有する構成とすることは当業者が容易に想到し得たものである。
　
［相違点２］
　ユーザに提供する情報を、ユーザの好みのようなユーザが設定したデータに基づいて、情報のフィルタリングや情報の選択を行うことによって、情報の変更を行うこと（フィルタリングや選択によりユーザに提供される情報が変化するので、情報の変更と言える。）は周知技術（例えば、
　
国際公開第０２／２５８７２号の第５頁第３行〜第６頁第１８行（対応するパテントファミリー：特表２００４−５０９５５８号公報の【００１６】〜【００２０】段落）には、受信された情報を事前記憶された好みに基づいてフィルタ処理することが記載され、
　
国際公開第０１／０３３１１号の第７頁第１１行〜第９頁第４行（対応するパテントファミリー：特表２００３−５０４９１５号公報の【００１７】〜【００１９】段落）には、興味や嗜好に応じて利用者によって設定され得るフィルタによって、受信したデータがフィルタリングされることが記載され、
　
特開２００１−２２２２９６号公報の【００１８】〜【００２８】、【００３９】段落には、携帯型音声再生装置１０は、データ種別選択操作部１９から設定すべきデータ種別が記憶され、記憶された言語と制御信号発信器２１〜２３から受信した制御信号とに対応する音声データを読み出し音声出力すること、データ種別選択回路１９はいずれの言語も選択できる形態のスイッチ（ユーザの好みにより選択できることは明らかである。）でよいことが記載され、
　
特開２００１−２３１８１１号公報の【００２２】段落には、予め記憶部３３に登録されてる複数の異なる所定位置の情報データから情報案内信号Ｓ２に含まれる案内コードに合致する情報データを選択して出力する情報制御回路３４ａ、情報案内信号Ｓ２に含まれる複数の言語コードから予め記憶部３３に登録されている言語コードを選択して出力する言語制御回路３４ｂ、記憶部３３に登録される言語コードはディップスイッチ等や音声によって言語を切り換えられる言語切替部３９（ユーザの好みにより選択できることは明らかである。）によって切り換えることができることが記載されている。
　
）である。したがって、引用発明において、メッセージ情報を入力手段を介して入力されるユーザの様々な好みに関連付けられたデータに基づいて変更される構成とすることは当業者が容易に想到し得たものである。　
　
　そして、本願補正発明の作用効果も、引用発明及び周知技術から当業者が予測できる範囲のものである。
　
　したがって、本願補正発明は引用発明及び周知技術に基づいて当業者が容易に発明をすることができたものであるから、特許法第２９条第２項の規定により、特許出願の際独立して特許を受けることができない。
　
５．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
ＩＩＩ．本願発明について
　
１．本願発明
　平成２１年２月１０日付けの手続補正は上記のとおり却下されたので、本願の請求項１６に係る発明（以下、「本願発明という。」）は、平成２０年３月５日付け手続補正書の特許請求の範囲の請求項１６に記載された事項により特定される以下のとおりのものである。
　
「夫々異なる場所で複数の光信号を生成する手段であって、該複数の光信号の夫々は一意のサインを有する手段と、
　前記複数の光信号のうちの少なくとも１つを受信する手段と、
　前記受信された光信号から前記一意のサインを復号化する手段と、
　前記復号化された一意のサインと、複数のローカルなメッセージのうちの少なくとも１つに前記一意のサインを関連付ける関連性の表とに従ってローカルなメッセージを与える手段とを有し、
　前記複数の光信号に対する前記受信する手段の位置は、前記光信号のうちのどれが受信されて、どの一意のサインが復号化され、次いで、前記ローカルなメッセージのうちのどれが与えられるかを決定する、位置依存型情報取出しシステム。」
　
２．引用例
　引用例の記載事項は、前記「ＩＩ．２」に記載したとおりである。
　
３．対比・判断
　本願発明は、前記「ＩＩ」で検討した本願補正発明の「位置依存型情報取出しシステム」について、「入力手段とを有し」との限定を省いたものであり、本願補正発明の「ローカルなメッセージ」について、「前記入力手段を介して入力されるユーザの様々な好みに関連付けられたデータに基づいて変更される」との限定を省いたものである。
　
　そうすると、本願発明の構成要素をすべて含み、さらに限定を付したものに相当する本願補正発明が、前記ＩＩ．４に記載したとおり、引用発明及び周知技術に基づいて、当業者が容易に発明をすることができたものであるから、本願発明も同様の理由により、上記引用発明及び周知技術に記載された事項に基づいて、当業者が容易に発明をすることができたものである。
　
４．むすび
　以上のとおり、本願の請求項１６に係る発明は、引用発明及び周知技術に基づいて、当業者が容易に発明をすることができたものであるから、特許法第２９条第２項の規定により特許を受けることができない。
　
　したがって、その余の請求項について論及するまでもなく、本願は、拒絶すべきものである。
　
　よって、結論のとおり審決する。